(57)【要約】【課題】有機ＥＬ表示装置のような自発光型表示装置の表示画像の輝度ムラを、表示画像の画質の劣化を招くことなく、高精度に低減することができる技術を提供する。【解決手段】本発明の画像処理装置は、第１階調値の画像データに基づく画像を自発光型表示装置の画面に表示した際に前記画面に生じる輝度ムラを低減する第１補正データを記憶する第１記憶手段と、前記第１階調値よりも低い第２階調値の画像データに基づく画像を前記画面に表示した際に前記画面に生じる輝度ムラを低減する第２補正データを記憶する第２記憶手段と、入力画像データの階調値のうち、前記第１階調値以上の階調値を少なくとも前記第１補正データを用いて補正し、前記第１階調値未満の階調値を少なくとも前記第２補正データを用いて補正する補正手段と、を有する。【選択図】図１
2015212803.tif 000002
【特許請求の範囲】
【請求項１】
第１階調値の画像データに基づく画像を自発光型表示装置の画面に表示した際に前記画面に生じる輝度ムラを低減する第１補正データを記憶する第１記憶手段と、
前記第１階調値よりも低い第２階調値の画像データに基づく画像を前記画面に表示した際に前記画面に生じる輝度ムラを低減する第２補正データを記憶する第２記憶手段と、
入力画像データの階調値のうち、前記第１階調値以上の階調値を少なくとも前記第１補正データを用いて補正し、前記第１階調値未満の階調値を少なくとも前記第２補正データを用いて補正する補正手段と、
を有することを特徴とする画像処理装置。
【請求項２】
前記輝度ムラは、表示対象の画像データの階調値の低下に伴って第１の輝度ムラから第２の輝度ムラへ変化し、
前記第１階調値は、前記第１の輝度ムラが発生する階調値と、前記第２の輝度ムラが発生する階調値と、の間の階調値である
ことを特徴とする請求項１に記載の画像処理装置。
【請求項３】
表示対象の画像データの１フレーム期間の長さに対する、前記表示対象の画像データの１フレーム期間における前記自発光型表示装置の表示素子の発光期間の長さの割合であるデュティ比に基づいて、前記第１階調値を決定する決定手段をさらに有する
ことを特徴とする請求項１または２に記載の画像処理装置。
【請求項４】
前記第１補正データのビット数は、前記第２補正データのビット数よりも少ない
ことを特徴とする請求項１〜３のいずれか１項に記載の画像処理装置。
【請求項５】
前記第１補正データ及び前記第２補正データは、前記画面の領域を構成する複数の分割領域のそれぞれについて、階調値を補正する補正値を表し、
前記第１補正データの分割領域は、前記第２補正データの分割領域よりも大きい
ことを特徴とする請求項１〜４のいずれか１項に記載の画像処理装置。
【請求項６】
階調値の取り得る値の最小値よりも大きい値が、黒色に対応する階調値として設定されており、
前記自発光型表示装置は、前記黒色に対応する階調値の画像データに基づく画像を表示する際にも発光し、
前記第２階調値は、前記黒色に対応する階調値である
ことを特徴とする請求項１〜５のいずれか１項に記載の画像処理装置。
【請求項７】
前記第１補正データ及び前記第２補正データは、階調値を補正する補正値を表し、
前記補正手段は、
前記第１階調値以上の階調値を、前記第１補正データが表す補正値で補正し、
前記第２階調値より大きく且つ前記第１階調値未満の階調値を、前記第１補正データが表す補正値と前記第２補正データが表す補正値とを用いて補正し、
前記第２階調値以下の階調値を、前記第２補正データが表す補正値と、階調値を補正しない非補正値と、を用いて補正する
ことを特徴とする請求項１〜６のいずれか１項に記載の画像処理装置。
【請求項８】
前記第１補正データ及び前記第２補正データは、階調値を補正する補正値を表し、
前記補正手段は、
前記第１階調値より大きい第３階調値以上の階調値を補正せず、
前記第１階調値以上且つ前記第３階調値未満の階調値を、前記第１補正データが表す
補正値と、階調値を補正しない非補正値と、を用いて補正し、
前記第２階調値より大きく且つ前記第１階調値未満の階調値を、前記第１補正データが表す補正値と前記第２補正データが表す補正値とを用いて補正し、
前記第２階調値以下の階調値を、前記第２補正データが表す補正値と前記非補正値とを用いて補正する
ことを特徴とする請求項１〜６のいずれか１項に記載の画像処理装置。
【請求項９】
前記第１補正データ及び前記第２補正データは、階調値を補正する補正値を表し、
前記補正手段は、
前記第１階調値より大きい第３階調値以上の階調値を、前記第１補正データが表す補正値を用いずに補正し、
前記第１階調値以上且つ前記第３階調値未満の階調値を、少なくとも前記第１補正データが表す補正値を用いて補正し、
前記第２階調値より大きく且つ前記第１階調値未満の階調値を、前記第１補正データが表す補正値と前記第２補正データが表す補正値とを用いて補正し、
前記第２階調値以下の階調値を、前記第２補正データが表す補正値と階調値を補正しない非補正値とを用いて補正する
ことを特徴とする請求項１〜６のいずれか１項に記載の画像処理装置。
【請求項１０】
前記補正手段は、
前記第１階調値以上且つ前記第３階調値未満の階調値と前記第１階調値との差に応じた重みで、前記第１補正データが表す補正値と前記非補正値とを重みづけ合成し、
前記第１階調値以上且つ前記第３階調値未満の前記階調値を、重みづけ合成後の補正値で補正する
ことを特徴とする請求項８に記載の画像処理装置。
【請求項１１】
前記補正手段は、
前記第２階調値より大きく且つ前記第１階調値未満の階調値と前記第２階調値との差に応じた重みで、前記第１補正データが表す補正値と前記第２補正データが表す補正値とを重みづけ合成し、
前記第２階調値より大きく且つ前記第１階調値未満の前記階調値を、重みづけ合成後の補正値で補正する
ことを特徴とする請求項７〜１０のいずれか１項に記載の画像処理装置。
【請求項１２】
前記補正手段は、
前記第２階調値以下の階調値と階調値の取り得る値の最小値との差に応じた重みで、前記第２補正データが表す補正値と前記非補正値とを重みづけ合成し、
前記第２階調値以下の前記階調値を、重みづけ合成後の補正値で補正する
ことを特徴とする請求項７〜１１のいずれか１項に記載の画像処理装置。
【請求項１３】
前記補正手段は、階調値と、前記自発光型表示装置の表示素子の発光輝度と、の対応関係に関する表示特性に基づいて、前記補正値の重みづけ合成を行う際の前記補正値の重みを補正する
ことを特徴とする請求項１０〜１２のいずれか１項に記載の画像処理装置。
【請求項１４】
前記自発光型表示装置は、表示素子が有機ＥＬ素子と薄膜トランジスタとを有する有機ＥＬ表示装置である
ことを特徴とする請求項１〜１３のいずれか１項に記載の画像処理装置。
【請求項１５】
第１階調値の画像データに基づく画像を自発光型表示装置の画面に表示した際に前記画
面に生じる輝度ムラを低減する第１補正データを記憶する第１記憶手段から前記第１補正データを読み出す第１読み出しステップと、
前記第１階調値よりも低い第２階調値の画像データに基づく画像を前記画面に表示した際に前記画面に生じる輝度ムラを低減する第２補正データを記憶する第２記憶手段から前記第２補正データを読み出す第２読み出しステップと、
入力画像データの階調値のうち、前記第１階調値以上の階調値を少なくとも前記第１補正データを用いて補正し、前記第１階調値未満の階調値を少なくとも前記第２補正データを用いて補正する補正ステップと、
を有することを特徴とする画像処理方法。
【請求項１６】
請求項１５に記載の画像処理方法の各ステップをコンピュータに実行させることを特徴とするプログラム。
【発明の詳細な説明】
【技術分野】
【０００１】
本発明は、画像処理装置及び画像処理方法に関する。
【背景技術】
【０００２】
アクティブマトリックス型有機ＥＬ表示装置の表示素子（画素回路）は、有機ＥＬ素子と薄膜トランジスタ（ＴＦＴ）を有する。そして、表示素子に印加する電圧を制御することにより、有機ＥＬ素子に流れる電流が制御され、有機ＥＬ素子の発光輝度が制御される。図９は、表示素子に入力する電圧（入力電圧）と、表示素子の発光輝度と、の関係の一例を示す図である。図９には、表示素子の回路図も図示されている。有機ＥＬ素子の発光量は、有機ＥＬ素子に流れる電流にほぼ比例する。そのため、表示素子の入力電圧と発光輝度の関係は、ＴＦＴのＶ−Ｉ特性に近似する。具体的には、図９に示すように、表示素子の発光輝度は、ＴＦＴの閾値電圧Ｖｔｈ付近から立ち上がる。そのため、ＴＦＴの電気特性（閾値電圧Ｖｔｈなど）が表示素子間でばらつくと、入力電圧と発光輝度の関係が表示素子間でばらついてしまい、表示画像（画面に表示された画像）に輝度ムラが生じてしまう。ＴＦＴの電気特性などのような表示素子の特性のばらつきは、例えば、表示素子の製造上の問題によって生じる。また、表示素子の特性は、表示素子の周囲の温度の変化や表示素子の経年劣化によって変化する。そのため、表示素子の特性のばらつきは、表示素子の周囲の温度の変化や表示素子の経年劣化によっても生じる。
【０００３】
上記課題を解決するための従来技術は、例えば、特許文献１〜３に開示されている。
特許文献１には、表示素子（画素回路）にブートストラップ機能とＶｔｈキャンセル機能を設け、表示素子の発光期間の前にＴＦＴのＶ−Ｉ特性を回路的に補正する技術が開示されている。
特許文献２には、ＴＦＴの閾値電圧ＶｔｈのばらつきやＴＦＴのＶ−Ｉ特性の傾きのばらつきを補正するゲイン補正値とオフセット補正値を予め用意し、それらの補正値を用いて画像データの輝度を補正する技術が開示されている。
特許文献３には、ＴＦＴのＶ−Ｉ特性のバラツキが大きくなるサブスレッショルド領域を使わずに発光輝度を制御する技術が開示されている。具体的には、時分割で有機ＥＬ素子の発光量を制御する技術が開示されている。
【０００４】
図９に示すように、有機ＥＬ素子に電流を供給するＴＦＴのＶ−Ｉ特性は、閾値電圧Ｖｔｈを境に変化する。そして、閾値電圧Ｖｔｈ未満の入力電圧の範囲（サブスレッショルド領域）におけるＶ−Ｉ特性では、入力電圧に対して電流が指数関数的に変化する。そのため、閾値電圧Ｖｔｈ未満の入力電圧の範囲では、電流を精度よく制御することが難しく、入力電圧が閾値電圧Ｖｔｈ未満となる非常に低い輝度を表示する際に輝度ムラが発生してしまうことがある。
【０００５】
しかしながら、上述した特許文献１，２の技術では、閾値電圧Ｖｔｈ以上の入力電圧の範囲におけるＶ−Ｉ特性を補正することができるが、閾値電圧未満の入力電圧の範囲におけるＶ−Ｉ特性を補正することができない。即ち、特許文献１，２の技術では、非常に低い輝度を表示する際に生じる輝度ムラを補正することができない。
また、上述した特許文献３の技術では、発光量が時分割で制御されるため、動画像を表示する場合に表示画像の画質の劣化が発生してしまう。例えば、動画像を表示する場合に、表示画像に偽輪郭（疑似輪郭）などの妨害が生じてしまう。
【先行技術文献】
【特許文献】
【０００６】
【特許文献１】特開２００５−３４５７２２号公報
【特許文献２】特開２００５−２８４１７２号公報
【特許文献３】特開２００１−２２２２５７号公報
【発明の概要】
【発明が解決しようとする課題】
【０００７】
本発明は、有機ＥＬ表示装置のような自発光型表示装置の表示画像の輝度ムラを、表示画像の画質の劣化を招くことなく、高精度に低減することができる技術を提供することを目的とする。
【課題を解決するための手段】
【０００８】
本発明の第１の態様は、
第１階調値の画像データに基づく画像を自発光型表示装置の画面に表示した際に前記画面に生じる輝度ムラを低減する第１補正データを記憶する第１記憶手段と、
前記第１階調値よりも低い第２階調値の画像データに基づく画像を前記画面に表示した際に前記画面に生じる輝度ムラを低減する第２補正データを記憶する第２記憶手段と、
入力画像データの階調値のうち、前記第１階調値以上の階調値を少なくとも前記第１補正データを用いて補正し、前記第１階調値未満の階調値を少なくとも前記第２補正データを用いて補正する補正手段と、
を有することを特徴とする画像処理装置である。
【０００９】
本発明の第２の態様は、
第１階調値の画像データに基づく画像を自発光型表示装置の画面に表示した際に前記画面に生じる輝度ムラを低減する第１補正データを記憶する第１記憶手段から前記第１補正データを読み出す第１読み出しステップと、
前記第１階調値よりも低い第２階調値の画像データに基づく画像を前記画面に表示した際に前記画面に生じる輝度ムラを低減する第２補正データを記憶する第２記憶手段から前記第２補正データを読み出す第２読み出しステップと、
入力画像データの階調値のうち、前記第１階調値以上の階調値を少なくとも前記第１補正データを用いて補正し、前記第１階調値未満の階調値を少なくとも前記第２補正データを用いて補正する補正ステップと、
を有することを特徴とする画像処理方法である。
【００１０】
本発明の第３の態様は、上述した画像処理方法の各ステップをコンピュータに実行させることを特徴とするプログラムである。
【発明の効果】
【００１１】
本発明によれば、有機ＥＬ表示装置のような自発光型表示装置の表示画像の輝度ムラを、表示画像の画質の劣化を招くことなく、高精度に低減することができる。
【図面の簡単な説明】
【００１２】
【図１】実施例１に係る画像表示装置の機能構成の一例を示す図
【図２】実施例１に係る階調値と表示素子の発光輝度との関係の一例を示す図
【図３】実施例１に係る補正値決定部の機能構成の一例を示す図
【図４】実施例１に係る補正値決定部の動作の一例を示す図
【図５】実施例１に係る画面全体の輝度ムラの一例を示す図
【図６】実施例３に係る補正値決定部の機能構成の一例を示す図
【図７】実施例４に係る補正値決定部の機能構成の一例を示す図
【図８】実施例４に係る変換特性の一例を示す図
【図９】表示素子の入力電圧と発光輝度との関係の一例を示す図
【図１０】実施例４に係る補正値決定部の動作の一例を示す図
【発明を実施するための形態】
【００１３】
＜実施例１＞
以下、本発明の実施例１に係る画像処理装置及び画像処理方法について図面を参照して説明する。
なお、以下では、本実施例に係る画像処理装置が画像表示装置内に設けられている場合の例を説明するが、本実施例に係る画像処理装置は画像表示装置とは別体の装置であってもよい。
また、以下では、画像表示装置が有機ＥＬ表示装置である場合の例を説明するが、画像表示装置は有機ＥＬ表示装置に限らない。画像表示装置は、自発光型表示装置であればよく、例えば、プラズマ表示装置であってもよい。
【００１４】
図１は、実施例１に係る画像表示装置の機能構成の一例を示す図である。
図１に示すように、画像表示装置は、表示パネル１０１、閾値記憶部１０２、第１補正データ記憶部１０３、第２補正データ記憶部１０４、補正値決定部１０５、画像補正部１０６、等を有する。
【００１５】
表示パネル１０１は、自発光型の表示パネルである。表示パネル１０１は、例えば、赤色の光を発するＲ表示素子、緑色の光を発するＧ表示素子、青色の光を発するＢ表示素子の３種類の表示素子を有する。本実施例では、表示パネル１０１は、アクティブマトリックス型の有機ＥＬパネルであり、表示素子は、有機ＥＬ素子と薄膜トランジスタ（ＴＦＴ）とを有する。
本実施例では、画像データの画素値が、赤色に対応するＲ階調値、緑色に対応するＧ階調値、及び、青色に対応するＢ階調値を有するＲＧＢ値である場合の例を説明する。Ｒ表示素子はＲ階調値に応じた発光輝度で発光し、Ｇ表示素子はＧ階調値に応じた発光輝度で発光し、Ｂ表示素子はＢ階調値に応じた発光輝度で発光する。表示素子は、階調値が高いほど高い発光輝度で発光する。
本実施例では、入力画像データのＲ階調値、Ｇ階調値、及び、Ｂ階調値が個別に補正される。
【００１６】
なお、画像データの画素値はＲＧＢ値に限らない。例えば、画素値は、輝度を示すＹ階調値と、色差を示すＣｂ階調値及びＣｒ階調値と、を含むＹＣｂＣｒ値であってもよい。その場合には、入力画像データのＹ階調値、Ｃｂ階調値、及び、Ｃｒ階調値を個別に補正し、補正後の画素値（ＹＣｂＣｒ値）をＲＧＢ値に変換し、変換後の画素値（ＲＧＢ値）を表示パネル１０１に入力すればよい。入力画像データの画素値（ＹＣｂＣｒ値）をＲＧＢ値に変換し、変換後の画素値（ＲＧＢ値）を補正し、補正後の画素値（ＲＧＢ値）を表示パネル１０１に入力してもよい。
なお、表示素子は、Ｒ表示素子、Ｇ表示素子、及び、Ｂ表示素子に限らない。例えば、黄色の光を発するＹｅ表示素子が使用されてもよい。その場合には、Ｙｅ表示素子を駆動するための階調値（黄色に対応するＹｅ階調値）を有する画素値を使用すればよい。
【００１７】
閾値記憶部１０２は、入力画像データの階調値の閾値を記憶する。本実施例では、第１階調値と第２階調値の２つの閾値が閾値記憶部１０２に記録される。
閾値記憶部１０２としては、例えば、半導体メモリ、磁気ディスク、光ディスク、等を使用することができる。
【００１８】
第１階調値は、例えば、画像データが取り得る階調値の範囲のうち、表示素子に入力する電圧（入力電圧）と表示素子の発光輝度との対応関係が変化する部分の階調値である。具体的には、ＴＦＴの閾値電圧Ｖｔｈ付近の入力電圧に対応する階調値である。第１階調
値は、表示パネル１０１の発光特性に基づいて決定することができる。
【００１９】
表示素子に与える入力電圧がＴＦＴの閾値電圧Ｖｔｈ以下となる非常に低い階調値の範囲では、入力電圧に対する発光輝度が指数関数的に変化するため、表示素子間の発光輝度のばらつきが増加する。そのため、表示対象の画像データが取り得る階調値毎に表示素子の発光輝度を測定すると、階調値に対応する入力電圧がＴＦＴの閾値電圧Ｖｔｈ以下となる非常に低い階調値の範囲では、表示素子間の発光輝度のばらつきが増加する。
図２に、表示対象の画像データが取り得る階調値と表示素子の発光輝度との関係の一例を示す。図２の横軸は表示対象の画像データが取り得る階調値を示し、図２の縦軸は表示素子の発光輝度を示す。図２は、両対数グラフである。図２の破線で示す直線は、表示素子の理想的な特性を示す。図２から、非常に低い階調値の範囲において、表示素子間の発光輝度のばらつきが大きいことがわかる。即ち、非常に低い階調値の範囲において、画面に生じる輝度ムラが大きいことがわかる。また、図２から、表示対象の画像データの階調値が低いほど輝度ムラが増加することがわかる。
【００２０】
そこで、本実施例では、輝度ムラの大きさが第１の値と一致する階調値を第１階調値として用いる。人間は、低輝度な物体を見た場合に約１０％以上の輝度差を識別することができる視覚特性を有する。そのため、例えば、輝度ムラの大きさが１０％となる階調値を第１階調値として使用すればよい。
また、輝度ムラは、表示パネル１０１に入力される画像データの量子化誤差の範囲まで補正可能であると考えられる。例えば、画像データのビット数が１０ビットである場合には、低階調範囲における量子化誤差は、目標値の数％以上である。そのため、輝度ムラの大きさが量子化誤差と一致する階調値を第１階調値として使用してもよい。
なお、輝度ムラの大きさは、どのように決定されてもよい。例えば、発光素子間の発光輝度のばらつきの標準偏差を発光輝度の理想値で正規化した値を、輝度ムラの大きさとして使用してもよい。輝度ムラの大きさは、全ての発光素子の発光輝度を用いて決定されてもよいし、一部の表示素子（代表素子）の発光輝度を用いて決定されてもよい。
【００２１】
第２階調値は、第１階調値よりも低い値である。本実施例では、階調値の取り得る値の最小値近傍であって、かつ当該最小値よりも大きい値が黒色に対応する階調値として設定されており、黒色に対応する階調値の画像データに基づく画像を表示する際にも表示素子が発光するものとする。そして、黒色に対応する階調値が第２階調値として使用される。黒色に対応する階調値は、例えば、画像表示装置の動作モードに依って決まる。具体的には、ＣＲＴディスプレイをエミュレートする動作モードでは、黒色に対応する階調値として低い値が設定され、液晶ディスプレイをエミュレートする動作モードでは、黒色に対応する階調値として高い値が設定される。
なお、階調値の取り得る値の最小値が、第２階調値として設定されてもよい。また、第２階調値は黒色に対応する階調値に限らない。例えば、輝度ムラの大きさが第２の値と一致する階調値を第２階調値として使用してもよい。第２の値は、第１の値より大きい値であり、例えば５０％である。特に、黒色に対応する階調値の画像データに基づく画像を表示する際に表示素子が発光しない場合（例えば、黒色に対応する階調値が０である場合）には、輝度ムラの大きさが第２の値と一致する階調値を第２階調値として使用することが好ましい。
【００２２】
第１補正データ記憶部１０３は、第１階調値の画像データに基づく画像を画面に表示した際に画面に生じる輝度ムラを低減する第１補正データを記憶する第１記憶部である。第１補正データは、第１階調値の画像データを表示パネル１０１に入力したときの各表示素子の発光輝度の測定結果に基づいて生成することができる。例えば、第１階調値の画像データを表示パネル１０１に入力したときの表示素子の発光輝度と理想値との差分を表示素子毎に表すデータを、第１補正データとして生成することができる。
【００２３】
第２補正データ記憶部１０４は、第２階調値の画像データに基づく画像を画面に表示した際に画面に生じる輝度ムラを低減する第２補正データを記憶する第２記憶部である。第２補正データは、第２階調値の画像データを表示パネル１０１に入力したときの各表示素子の発光輝度の測定結果に基づいて生成することができる。例えば、第２階調値の画像データを表示パネル１０１に入力したときの表示素子の発光輝度と理想値との差分を表示素子毎に表すデータを、第２補正データとして生成することができる。
【００２４】
補正値決定部１０５は、閾値記憶部１０２から第１階調値と第２階調値を読み出し、第１補正データ記憶部１０３から第１補正データを読み出し（第１読み出し処理）、第２補正データ記憶部１０４から第２補正データを読み出す（第２読み出し処理）。そして、補正値決定部１０５は、表示素子毎に補正値を決定し、表示素子毎の補正値を画像補正部１０６に出力する。補正値は、入力画像データの階調値を補正する値であり、入力画像データの階調値、第１階調値、第２階調値、第１補正データ、及び、第２補正データに基づいて決定される。
【００２５】
画像補正部１０６は、表示素子毎に、その表示素子に対応する入力画像データの階調値を、当該表示素子に対して補正値決定部１０５が決定した補正値を用いて補正する。本実施例では、補正値として、入力画像データの階調値に加算する加算値が決定される。画像補正部１０６は、表示素子毎に、その表示素子に対応する入力画像データの階調値に、当該表示素子に対して補正値決定部１０５が決定した補正値を加算する。そして、画像補正部１０６は、補正値を用いた補正後の画像データを、表示パネル１０１に出力する。
なお、補正値は、入力画像データの階調値に加算する加算値に限らない。例えば、補正値として、入力画像データの階調値に乗算する係数が使用されてもよい。
【００２６】
図３に、補正値決定部１０５の機能構成の一例を示す。図３に示すように、補正値決定部１０５は、入力階調検出部１１１、補正値選択部１１２、補正値合成部１１３、等を有する。図４に、補正値決定部１０５の動作の一例を示す。図４において、“ｄ”は入力画像データの階調値を示し、“ｔｈ”は第１階調値を示し、“ｂｌ”は第２階調値を示す。
本実施例では、入力画像データの階調値のうち、第１階調値以上の階調値が少なくとも第１補正データを用いて補正され、第１階調値未満の階調値が少なくとも第２補正データを用いて補正されるように、補正値が決定される。
なお、本実施例では、補正データが、表示素子毎に階調値を補正する補正値を表すものとする。
【００２７】
入力階調検出部１１１は、入力画像データ、第１階調値、及び、第２階調値を取得する。そして、入力階調検出部１１１は、入力画像データ、第１階調値、及び、第２階調値を用いて、階調範囲判断処理と内分比率判断処理とを行う。入力階調検出部１１１は、階調範囲判断処理の結果を補正値選択部１１２に出力し、内分比率判断処理の結果を補正値合成部１１３に出力する。
【００２８】
階調範囲判断処理は、入力画像データの階調値が属す階調範囲（階調値の範囲）を判断する処理である。本実施例では、入力画像データの階調値（入力階調値）と第１階調値及び第２階調値とが比較される。それにより、入力階調値が、第１階調値以上の階調範囲、第２階調値より大きく且つ第１階調値未満の階調範囲、及び、第２階調値以下の階調範囲、の３つの階調範囲のいずれに属すかが判断される。
【００２９】
内分比率判断処理は、入力階調値が属す階調範囲と入力階調値とから内分比率を決定する処理である。具体的には、第１階調値以上の階調範囲に入力階調値が属す場合には、１が内分比率として決定される。第２階調値より大きく且つ第１階調値未満の階調範囲に入
力階調値が属す場合には、第１階調値から第２階調値を減算した値に対する、入力階調値から第２階調値を減算した値の割合が、内分比率として決定される。そして、第２階調値以下の階調範囲に入力階調値が属す場合には、第２階調値から階調値の取り得る値の最小値を減算した値に対する、入力階調値から当該最小値を減算した値の割合が、内分比率として決定される。本実施例では、階調値の取り得る値の最小値は０である。そのため、第２階調値に対する入力階調値の割合が、内分比率として決定される。
【００３０】
補正値選択部１１２は、階調範囲判断処理の結果、第１補正データ、及び、第２補正データを取得する。そして、補正値選択部１１２は、階調範囲判断処理の結果に応じて２つの補正値Ａ，Ｂを選択し、選択した補正値Ａ，Ｂを補正値合成部１１３に出力する。具体的には、第１階調値以上の階調範囲に入力階調値が属す場合には、補正値Ａ，Ｂとして、第１補正データが表す補正値が選択される。第２階調値より大きく且つ第１階調値未満の階調範囲に入力階調値が属す場合には、第１補正データが表す補正値が補正値Ａとして選択され、第２補正データが表す補正値が補正値Ｂとして選択される。そして、第２階調値以下の階調範囲に入力階調値が属す場合には、第２補正データが表す補正値が補正値Ａとして選択され、階調値を補正しない非補正値（０）が補正値Ｂとして選択される。
【００３１】
補正値合成部１１３は、補正値選択部１１２から出力された補正値Ａ，Ｂを重みづけ合成することにより合成補正値を生成し、画像補正部１０６に合成補正値を出力する。本実施例では、内分比率判断処理で決定された内分比率が補正値Ａの重みとして使用され、（１−内分比率）が補正値Ｂの重みとして使用される。即ち、本実施例では、以下の式１を用いて合成補正値ｈｃが算出される。式１において、“ｋ”は内分比率であり、“ｈａ”は補正値Ａであり、“ｈｂ”は補正値Ｂである。
ｈｃ＝ｈａ×ｋ＋ｈｂ×（１−ｋ）  ・・・（式１）
その結果、第１階調値以上の階調範囲に入力階調値が属す場合には、合成補正値として、第１補正データが表す補正値と同じ値が生成される。第２階調値より大きく且つ第１階調値未満の階調範囲に入力階調値が属す場合には、入力階調値と第２階調値との差に応じた重みで、第１補正データが表す補正値と第２補正データが表す補正値とを重みづけ合成した値が、合成補正値として生成される。そして、第２階調値以下の階調範囲に入力階調値が属す場合には、入力階調値と階調値の取り得る値の最小値との差に応じた重みで、第２補正データが表す補正値と非補正値とを重みづけ合成した値が、合成補正値として生成される。
【００３２】
画像補正部１０６は、合成補正値を用いて入力画像データの階調値を補正する。
【００３３】
このように、本実施例では、第１階調値以上の階調値は、第１補正データが表す補正値で補正される。第２階調値より大きく且つ第１階調値未満の階調値は、第１補正データが表す補正値と第２補正データが表す補正値とを用いて補正される。具体的には、第１補正データが表す補正値と第２補正データが表す補正値とが入力階調値に対して決定された内分比率で重みづけ合成され、重みづけ合成後の補正値で入力階調値が補正される。そして、第２階調値以下の階調値は、第２補正データが表す補正値と、非補正値と、を用いて補正される。具体的には、第２補正データが表す補正値と非補正値とが入力階調値に対して決定された内分比率で重みづけ合成され、重みづけ合成後の補正値で入力階調値が補正される。
【００３４】
なお、重みづけの方法は上記方法に限らない。例えば、補正値合成部１１３は、補正値Ａ，Ｂの平均値を算出し、算出した平均値を出力してもよい。また、補正値合成部１１３は、補正値Ａ，Ｂから、入力階調値により近い階調値に対応する補正値を選択し、選択し
た補正値を出力してもよい。
【００３５】
以上述べたように、本実施例によれば、入力画像データの階調値のうち、第１階調値以上の階調値が少なくとも第１補正データを用いて補正され、第１階調値未満の階調値が少なくとも第２補正データを用いて補正される。換言すれば、入力画像データの階調値が第１階調値以上か否かによって補正方法が切り替えられる。それにより、有機ＥＬ表示装置のような自発光型表示装置の表示画像の輝度ムラを、表示画像の画質の劣化を招くことなく、高精度に低減することができる。具体的には、本実施例によれば、発光素子の発光を時分割で制御することは行われないため、表示画像の画質の劣化を抑制することができる。また、２つの補正データを使用したことにより、表示素子の入力電圧がＶｔｈ以下となるような非常に低い階調値の範囲においても、高精度に輝度ムラを低減することができる。
【００３６】
なお、本実施例では、内分比率判断処理において、階調値Ａの重みとして使用する値を内分比率として決定する例を説明したが、これに限らない。例えば、内分比率判断処理において、階調値Ｂの重みとして使用する値が内分比率として決定されてもよい。階調値Ａの重みとして使用する値、及び、階調値Ｂの重みとして使用する値が、それぞれ、内分比率として決定されてもよい。また、内分比率ではなく、階調値の差が算出されてもよい。具体的には、第２階調値より大きく且つ第１階調値未満の階調範囲に入力階調値が属す場合には、入力階調値と第２階調値との差が算出されてもよい。そして、第２階調値以下の階調範囲に入力階調値が属す場合には、入力階調値と階調値の取り得る値の最小値との差が算出されてもよい。その場合には、補正値合成部１１３において、階調値の差に応じた重みを決定し、決定した重みで補正値Ａ，Ｂを重みづけ合成すればよい。第１階調値以上の階調範囲に入力階調値が属す場合には、第１補正データが表す補正値が合成補正値として決定されればよく、階調値の差は決定されなくてもよい。
【００３７】
なお、本実施例では、輝度ムラの大きさに基づいて第１階調値を決定する例を説明したが、第１階調値の決定方法はこれに限らない。例えば、表示素子の入力電圧がＴＦＴのＶｔｈ以下となる非常に低い階調値の範囲では、表示素子間の発光輝度のばらつきが増加し、輝度ムラの形状が変化する。そこで、以下のように、画面全体の輝度ムラの測定結果から第１階調値を決定してもよい。
【００３８】
図５は、画面全体の輝度ムラの一例を示す。具体的には、図５は、画面全体に階調値が均一なベタ画像を表示した場合における画面全体の輝度ムラの測定結果の一例を示す。図５において、ベタ画像の階調値は、（Ａ）＞（Ｂ）＞（Ｃ）＞（Ｄ）＞（Ｅ）となっている。図５には、画面全体の平均輝度も図示されている。図５の（Ｃ）に対応するベタ画像の階調値は、表示素子の入力電圧がＴＦＴのＶｔｈ付近となる階調値である。図５において、斜線部分は発光輝度が周囲よりも高いことを示し、網掛け部分は発光輝度が周囲よりも低いことを示している。
【００３９】
図５の（Ａ）〜（Ｃ）では、画面の上側で輝度が低下し、且つ、画面の下側で輝度が増加する輝度ムラ（第１の輝度ムラ）が生じていることがわかる。そして、図５の（Ｅ）では、図５の（Ａ）〜（Ｃ）と大きく異なる輝度ムラが生じていることがわかる。具体的には、図５の（Ｅ）では、画面の上側で輝度が増加し、且つ、画面の下側で輝度が低下する輝度ムラ（第２の輝度ムラ）が生じていることがわかる。図５の（Ｄ）では、第１の輝度ムラと第２の輝度ムラの中間の輝度ムラが生じていることがわかる。即ち、図５から、表示対象の画像データの階調値の低下に伴って、輝度ムラが第１の輝度ムラから第２の輝度ムラへ変化することがわかる。そのため、複数の階調値に対応する複数の輝度ムラを測定し、第１の輝度ムラが発生する階調値と第２の輝度ムラが発生する階調値との間の階調値を第１階調値として決定してもよい。例えば、図５の（Ｄ）に対応する階調値を第１階調
値として決定してもよい。
【００４０】
なお、本実施例では、第１階調値が固定値である場合の例を説明したが、これに限らない。画像表示装置の駆動条件の変化によって、表示素子のデュティ比が変化することがある。例えば、画像表示装置の表示フレームレートの変更によって、表示素子のデュティ比が変化することがある。また、表示対象の画像データのフレーム間に黒画像のフレームを挿入する黒挿入モードが設定されることによって表示素子のデュティ比が変化することもある。そのため、本実施例に係る画像処理装置は、デュティ比に基づいて第１階調値を決定する決定部をさらに有していてもよい。そのような決定部を用いれば、第１階調値が動的に変更され、第１階調値として常に適切な値を使用することが可能となる。デュティ比は、表示対象の画像データの１フレーム期間の長さに対する、表示対象の画像データの１フレーム期間における表示素子の発光期間の長さの割合である。
【００４１】
なお、本実施例では、入力階調値が属す階調範囲を３つの階調範囲の中から選択する例を説明したが、これに限らない。
【００４２】
例えば、入力階調値が属す階調範囲が、第１階調値以上の階調範囲と、第１階調値未満の階調範囲と、の２つの階調範囲の中から選択されてもよい。そして、第１階調値以上の階調範囲に入力階調値が属す場合に、第１補正データが表す補正値で入力階調値が補正され、第１階調値未満の階調範囲に入力階調値が属す場合に、第２補正データが表す補正値で入力階調値が補正されてもよい。第１階調値未満の階調範囲に入力階調値が属す場合に、第１補正データが表す補正値と、第２補正データが表す補正値と、を重みづけ合成した合成補正値で入力階調値が補正されてもよい。重みづけ合成は、上述した方法で行えばよい。
【００４３】
また、第１階調値より大きい第３階調値が予め定められており、第１階調値以上の階調範囲の代わりに、第１階調値以上且つ第３階調値未満の階調範囲と、第３階調値以上の階調範囲と、の２つの階調範囲が設定されていてもよい。そして、第１階調値以上の入力階調値については、第１補正データが表す補正値と非補正値を重みづけ合成することにより、合成補正値が生成されてもよい。具体的には、入力階調値が第３階調値に近いほど非補正値に近く、且つ、入力階調値が第１階調値に近いほど第１補正データが表す補正値に近い合成補正値が得られるように、第１補正データが表す補正値と非補正値が重みづけ合成されてもよい。
【００４４】
＜実施例２＞
以下、本発明の実施例２に係る画像処理装置及び画像処理方法について図面を参照して説明する。本実施例では、補正データを記憶する記憶部の記憶容量を削減し、画像処理装置の製造コストを低減することのできる構成について説明する。
【００４５】
図２に示すように、表示素子間の発光輝度のばらつきは、表示輝度（表示対象の画像データの階調値）が低いほど大きい。換言すれば、表示輝度が高い場合には、表示素子間の発光輝度のばらつきは小さい。そのため、第２補正データよりも粗い補正データを第１補正データとして使用しても、輝度ムラを高精度に補正することができる。
【００４６】
そこで、本実施例では、第２補正データよりもデータ量が少ない第１補正データを用意し、第１補正データ記憶部１０３の記憶容量を第２補正データ記憶部１０４の記憶容量よりも低減する。それにより、第１補正データ記憶部１０３と第２補正データ記憶部１０４の全体の記憶容量を低減する。
【００４７】
本実施例に係る画像処理装置の機能構成は実施例１と同様である。但し、第１補正デー
タ記憶部１０３と第２補正データ記憶部１０４が実施例１と異なる。
本実施例では、第１補正データとして、第２補正データよりもビット数の少ない補正データが用意される。例えば、第１補正データとして、表示素子毎に４ビットの補正値を表す補正データが用意され、第２補正データとして、表示素子毎に５ビットの補正値を表す補正データが用意される。
【００４８】
第１補正データ記憶部１０３は、第１補正データを記憶する第１記憶部である。第１補正データ記憶部１０３の記憶容量は、第１補正データを記憶することができる容量であればよい。例えば、第１補正データが表す補正値のビット数が４ビットである場合には、第１補正データ記憶部１０３は、表示素子毎に４ビットの補正値を記憶可能な記憶容量を有していればよい。
第２補正データ記憶部１０４は、第２補正データを記憶する第２記憶部である。第２補正データ記憶部１０４の記憶容量は、第２補正データを記憶することができる容量であればよい。例えば、第２補正データが表す補正値のビット数が５ビットである場合には、第２補正データ記憶部１０４は、表示素子毎に５ビットの補正値を記憶可能な記憶容量を有していればよい。
【００４９】
このように、第１補正データのビット数を第２補正データよりも少ない数に低減することで、輝度ムラ補正の精度の大きな低下を招くことなく、第１補正データ記憶部１０３の記憶容量を低減することができる。
第１補正データが表す補正値のビット数が４ビットであり、第２補正データが表す補正値のビット数が５ビットである場合の例を説明する。この場合には、第１補正データ記憶部１０３の記憶容量は、表示素子数×４ビット以上であればよい。一方、第２補正データが表す補正値と同じビット数の補正値を表す第１補正データを使用した場合には、第１補正データ記憶部１０３の記憶容量が表示素子数×５ビット以上である必要がある。このことから、本実施例では、第２補正データが表す補正値と同じビット数の第１補正データを使用する場合に比べ、第１補正データ記憶部１０３の記憶容量を最低でも１０％低減できることがわかる。
【００５０】
以上述べたように、本実施例によれば、第１補正データとして、第２補正データよりも少ないビット数の補正データが使用される。それにより、輝度ムラ補正の精度の大きな低下を招くことなく、第１補正データ記憶部の記憶容量を低減することができる。ひいては、画像処理装置の製造コストを低減することができる。
【００５１】
＜実施例３＞
以下、本発明の実施例３に係る画像処理装置及び画像処理方法について図面を参照して説明する。実施例２では、第１補正データのビット数を低減することにより、補正データを記憶する記憶部の記憶容量を削減し、画像処理装置の製造コストを低減することのできる構成について説明した。本実施例では、記憶部の記憶容量を削減し、画像処理装置の製造コストを低減することのできる他の構成について説明する。
【００５２】
図２に示すように、表示輝度（表示対象の画像データの階調値）が高い場合には、表示素子間の発光輝度のばらつきは小さい。図５から、表示輝度が高い場合にも輝度ムラが生じていることがわかる。輝度ムラに関するこれらの考察から、第１階調値以上の階調範囲では、表示素子単位で発光輝度が変化する輝度ムラよりも、より緩やかに変化する輝度ムラが支配的であると考えることができる。そのため、第１階調値以上の階調範囲では、上述した緩やかな輝度ムラをのみを低減することが効果的であると言える。
【００５３】
そこで、本実施例では、第１補正データ及び第２補正データとして、画面の領域を構成する複数の分割領域のそれぞれについて補正値を表す補正データを使用する。そして、第
１補正データの分割領域として、第２補正データの分割領域よりも大きい分割領域を使用する。具体的には、第２補正データとして、表示素子毎に補正値を表す補正データを使用する。そして、第１補正データとして、複数の表示素子からなる分割領域毎に補正値を表す補正データを使用する。それにより、第１補正データ記憶部１０３の記憶容量を第２補正データ記憶部１０４の記憶容量よりも低減することができる。
【００５４】
本実施例に係る画像処理装置の機能構成は実施例１と同様である。但し、第１補正データ記憶部１０３と補正値決定部１０５が実施例１と異なる。
第１補正データ記憶部１０３は、第１補正データを記憶する第１記憶部である。本実施例では、第１補正データとして、複数の表示素子からなる分割領域毎に補正値を表す補正データが用意される。例えば、水平方向３２個×垂直方向３２個の表示素子からなる分割領域毎に補正値を表す補正データが、第１補正データとして用意される。
補正値決定部１０５は、表示素子毎に合成補正値を決定し、各表示素子の合成補正値を出力する。本実施例では、補正値決定部１０５は、分割領域毎に補正値を表す第１補正データを、表示素子毎に補正値を表す補正データに変換して使用する。第１補正データは、例えば、線形補間を行うことにより変換することができる。
なお、第１補正データの使用方法は上記方法に限らない。例えば、第１補正データを使用して表示素子の合成補正値を決定する場合には、当該表示素子が属す分割領域の補正値が、当該表示素子の補正値として使用されてもよい。
【００５５】
図６に、本実施例に係る補正値決定部１０５の機能構成の一例を示す。本実施例の補正値決定部１０５は、実施例１の補正値決定部１０５が有する機能部の他に、補正データ補間部３１４をさらに有する。
補正データ補間部３１４は、線形補間により、分割領域毎に補正値を表す第１補正データを、表示素子毎に補正値を表す補正データに変換する。そして、補正データ補間部３１４は、変換後の補正データを第１補正データとして補正値選択部１１２に出力する。
補正データ補間部３１４以外の機能部は、実施例１と同じ機能を有する。
【００５６】
本実施例によれば、第１補正データの分割領域として、第２補正データの分割領域よりも大きい分割領域が使用される。それにより、輝度ムラ補正の精度の大きな低下を招くことなく、第１補正データ記憶部の記憶容量を低減することができる。ひいては、画像処理装置の製造コストを低減することができる。例えば、第１補正データが水平方向３２個×垂直方向３２個の表示素子からなる分割領域毎に補正値を表す場合には、第１補正データが表示素子毎に補正値を表す場合に比べ、第１補正データのデータ量が１／１０２４に低減される。それにより、第１補正データ記憶部１０３の記憶容量を低減することができる。
【００５７】
なお、本実施例によるデータ量の削減と、実施例２によるデータ量の削減とを組み合わせれば、より大幅にデータ量を削減することができる。
なお、本実施例では、第１補正データの分割領域が複数の表示素子からなる領域であり、第２補正データの分割領域が１つの表示素子からなる領域である場合の例を説明したが、これに限らない。第１補正データの分割領域が第２補正データの分割領域よりも大きければよく、第２補正データの分割領域が複数の表示素子からなる領域であってもよい。例えば、第２階調値の画像データを表示した際に、画面が暗い等の理由によって表示素子毎の発光輝度の測定が困難である場合には、複数の表示素子からなる分割領域毎に発光輝度が測定されてもよい。そして、分割領域毎の測定結果に基づいて、分割領域毎に補正値を表す第２補正データが生成されてもよい。このような第２補正データを使用した場合には、低階調範囲において表示素子単位で生じる発光輝度の変化の低減効果は低下してしまう。しかしながら、このような第２補正データを使用しても、画面全体の輝度ムラ、及び、第１階調値付近において表示素子単位で生じる発光輝度の変化は高精度に低減することが
できる。
【００５８】
＜実施例４＞
以下、本発明の実施例４に係る画像処理装置及び画像処理方法について図面を参照して説明する。
本実施例では、階調値と表示素子の発光輝度との対応関係に関する表示特性に基づいて内分比率（補正値の重み）を補正する例を説明する。表示特性は、例えば、ＴＦＴのＶ−Ｉ特性である。本実施例では、第１階調値未満の階調範囲と、第１階調値以上の階調範囲とで、内分比率の補正方法（例えば、内分比率の補正で使用する補正係数）を異ならせる。それにより、合成補正値としてより適切な値を得ることができ、輝度ムラをより高精度に低減することができる。
また、本実施例では、階調範囲判断処理で使用する階調範囲が実施例１と異なる場合の例を説明する。具体的には、本実施例では、階調範囲判断処理で４つの階調範囲を使用する例を説明する。但し、階調範囲は、以下で説明する４つの階調範囲に限らない。例えば、本実施例において、実施例１と同じ３つの階調範囲が使用されてもよい。
【００５９】
本実施例に係る画像処理装置の機能構成は実施例１と同様である。但し、補正値決定部１０５が実施例１と異なる。
図７に、本実施例に係る補正値決定部１０５の機能構成の一例を示す。本実施例の補正値決定部１０５は、入力階調検出部４１１、補正値選択部４１２、補正値合成部４１３、比率補正部４１４、等を有する。
図１０に、本実施例の補正値決定部１０５の動作の一例を示す。図１０において、“ｄ”は入力画像データの階調値を示し、“ｔｈ”は第１階調値を示し、“ｂｌ”は第２階調値を示し、“ｐ３”は第３階調値を示す。本実施例では、入力画像データの階調値のうち、第１階調値より大きく且つ第３階調値未満の階調値が少なくとも第１補正データを用いて補正され、第１階調値未満の階調値が少なくとも第２補正データを用いて補正されるように、補正値が決定される。
【００６０】
入力階調検出部４１１は、入力画像データ、第１階調値、第２階調値、及び、第３階調値を用いて、階調範囲判断処理と内分比率判断処理とを行う。入力階調検出部４１１は、階調範囲判断処理の結果を補正値選択部４１２と比率補正部４１４に出力し、内分比率判断処理の結果を補正値合成部４１３に出力する。
【００６１】
本実施例では、第１階調値より大きい第３階調値が予め定められている。
階調範囲判断処理では、入力画像データの階調値（入力階調値）と第１階調値、第２階調値、及び、第３階調値とが比較される。それにより、入力階調値が、第３階調値以上の階調範囲、第１階調値以上且つ第３階調値未満の階調範囲、第２階調値より大きく且つ第１階調値未満の階調範囲、及び、第２階調値以下の階調範囲、の４つの階調範囲のいずれに属すかが判断される。
【００６２】
内分比率判断処理では、第３階調値以上の階調範囲に入力階調値が属す場合に、１が内分比率として決定される。第１階調値以上且つ第３階調値未満の階調範囲に入力階調値が属す場合には、第３階調値から第１階調値を減算した値に対する、入力階調値から第１階調値を減算した値の割合が、内分比率として決定される。第２階調値より大きく且つ第１階調値未満の階調範囲に入力階調値が属す場合には、第１階調値から第２階調値を減算した値に対する、入力階調値から第２階調値を減算した値の割合が、内分比率として決定される。そして、第２階調値以下の階調範囲に入力階調値が属す場合には、第２階調値から階調値の取り得る値の最小値を減算した値に対する、入力階調値から当該最小値を減算した値の割合が、内分比率として決定される。本実施例では、階調値の取り得る値の最小値は０である。そのため、第２階調値に対する入力階調値の割合が、内分比率として決定さ
れる。
【００６３】
補正値選択部４１２は、階調範囲判断処理の結果、第１補正データ、及び、第２補正データを取得する。そして、補正値選択部４１２は、階調範囲判断処理の結果に応じて２つの補正値Ａ，Ｂを選択し、選択した補正値Ａ，Ｂを補正値合成部４１３に出力する。具体的には、第３階調値以上の階調範囲に入力階調値が属す場合には、補正値Ａ，Ｂとして、非補正値が選択される。第１階調値以上且つ第３階調値未満の階調範囲に入力階調値が属す場合には、非補正値が補正値Ａとして選択され、第１補正データが表す補正値が補正値Ｂとして選択される。第２階調値より大きく且つ第１階調値未満の階調範囲に入力階調値が属す場合には、第１補正データが表す補正値が補正値Ａとして選択され、第２補正データが表す補正値が補正値Ｂとして選択される。そして、第２階調値以下の階調範囲に入力階調値が属す場合には、第２補正データが表す補正値が補正値Ａとして選択され、非補正値が補正値Ｂとして選択される。
【００６４】
比率補正部４１４は、階調値と表示素子の発光輝度との対応関係に関する表示特性に基づいて、内分比率判断処理で決定された内分比率（補正値の重み）を補正する。
本実施例では、上述した４つの階調範囲のそれぞれについて、補正前の内分比率と補正後の内分比率の対応関係（変換特性）が予め定められている。変換特性は、例えば、ＴＦＴのＶ―Ｉ特性に基づいて決定された特性である。
比率補正部４１４は、階調範囲判断処理の結果に応じて４つの変換特性のうちの１つを選択し、選択した変換特性に従って内分比率を補正することにより補正内分比率を生成する。そして、比率補正部４１４は、補正内分比率を補正値合成部４１３に出力する。
【００６５】
図８（Ａ），８（Ｂ）に、変換特性の一例を示す。図８（Ａ），８（Ｂ）の横軸は補正前（変換前）の内分比率を示し、図８（Ａ），８（Ｂ）の縦軸は補正後（変換後）の内分比率を示す。
ＴＦＴのＶ−Ｉ特性において、第１階調値未満の階調範囲（第２階調値より大きく且つ第１階調値未満の階調範囲、及び、第２階調値以下の階調範囲）では、電圧の変化に対し電流が指数関数的に変化する。そのため、第１階調値未満の階調範囲では、図８（Ａ）に示すように、補正前の内分比率の変化に対し補正後の内分比率を指数関数的に変化させるべきであると考えられる。そこで、本実施例では、第２階調値より大きく且つ第１階調値未満の階調範囲、又は、第２階調値以下の階調範囲に入力階調値が属す場合には、図８（Ａ）に示す変換特性を用いて補正内分比率を決定する。
また、ＴＦＴのＶ−Ｉ特性において、第１階調値以上の階調範囲（第１階調値以上且つ第３階調値未満の階調範囲、及び、第３階調値以上の階調範囲）では、電流が電圧の２乗に比例する。そのため、第１階調値以上の階調範囲では、図８（Ｂ）に示すように、補正後の内分比率を補正前の内分比率に比例させるべきであると考えられる。そこで、本実施例では、第１階調値以上且つ第３階調値未満の階調範囲、又は、第３階調値以上の階調範囲に入力階調値が属す場合には、図８（Ｂ）に示す変換特性を用いて補正内分比率を決定する。
【００６６】
補正値合成部４１３は、実施例１の補正値合成部１１３と同様に、補正値Ａ，Ｂと重みづけ合成することにより合成補正値を生成し、合成補正値を出力する。但し、本実施例では、重みづけ合成を行う際に、比率補正部４１４で生成された補正内分比率が補正値Ａの重みとして使用される。
【００６７】
その結果、第３階調値以上の階調範囲に入力階調値が属す場合には、合成補正値として、非補正値と同じ値が生成される。第１階調値以上且つ第３階調値未満の階調範囲に入力階調値が属す場合には、入力階調値と第１階調値との差に応じた重みで、第１補正データが表す補正値と非補正値とを重みづけ合成した値が、合成補正値として生成される。第２
階調値より大きく且つ第１階調値未満の階調範囲に入力階調値が属す場合には、入力階調値と第２階調値との差に応じた重みで、第１補正データが表す補正値と第２補正データが表す補正値とを重みづけ合成した値が、合成補正値として生成される。そして、第２階調値以下の階調範囲に入力階調値が属す場合には、入力階調値と階調値の取り得る値の最小値との差に応じた重みで、第２補正データが表す補正値と非補正値とを重みづけ合成した値が、合成補正値として生成される。
【００６８】
そして、実施例１と同様に、画像補正部１０６において、入力画像データの階調値が合成補正値を用いて補正される。
【００６９】
このように、本実施例では、第３階調値以上の階調値は補正されない。第１階調値以上且つ第３階調値未満の階調値は、第１補正データが表す補正値と非補正値とを用いて補正される。具体的には、第１補正データが表す補正値と非補正値とが入力階調値に対して決定された補正内分比率で重みづけ合成され、重みづけ合成後の補正値で入力階調値が補正される。第２階調値より大きく且つ第１階調値未満の階調値は、第１補正データが表す補正値と第２補正データが表す補正値とを用いて補正される。具体的には、第１補正データが表す補正値と第２補正データが表す補正値とが入力階調値に対して決定された補正内分比率で重みづけ合成され、重みづけ合成後の補正値で入力階調値が補正される。そして、第２階調値以下の階調値は、第２補正データが表す補正値と、非補正値と、を用いて補正される。具体的には、第２補正データが表す補正値と非補正値とが入力階調値に対して決定された補正内分比率で重みづけ合成され、重みづけ合成後の補正値で入力階調値が補正される。
【００７０】
以上述べたように、本実施例によれば、階調値と発光素子の発光輝度との対応関係に関する表示特性に基づいて、重みづけ合成で使用する重みが補正される。それにより、合成補正値としてより適切な値を得ることができ、輝度ムラをより高精度に低減することができる。
なお、内分比率の補正を行わずに、内分比率判断処理で決定された内分比率を重みとして使用して重みづけ合成が行われてもよい。
なお、本実施例では、第３階調値以上の階調値を補正しない例を説明したが、これに限らない。例えば、第３階調値以上の階調値が、第１補正データが表す補正値を用いずに補正されてもよい。そして、第１階調値以上且つ第３階調値未満の階調値が、少なくとも第１補正データが表す補正値を用いて補正されてもよい。具体的には、第１補正データと第２補正データとは異なる高階調値用の第３補正データが予め用意されていてもよい。そして、第３階調値以上の階調値が、第３補正データが表す補正値を用いて補正され、第１階調値以上且つ第３階調値未満の階調値が、第１補正データが表す補正値と、第３補正データが表す補正値と、を用いて補正されてもよい。第１階調値以上且つ第３階調値未満の階調値が、第１補正データが表す補正値のみを用いて補正されてもよい。
【００７１】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュー
タ読取可能な記録媒体は、いずれも本発明の範疇に含まれる。
【符号の説明】
【００７２】
１０３：第１補正データ記憶部  １０４：第２補正データ記憶部
１０５：補正値決定部  １０６：画像補正部
【図１】
2015212803.tif 000003
【図２】
2015212803.tif 000004
【図３】
2015212803.tif 000005
【図４】
2015212803.tif 000006
【図５】
2015212803.tif 000007
【図６】
2015212803.tif 000008
【図７】
2015212803.tif 000009
【図８】
2015212803.tif 000010
【図９】
2015212803.tif 000011
【図１０】
2015212803.tif 000012